(57)【要約】      （修正有）【課題】椅子の背もたれ部に吊持させた状態で、椅子に着座したユーザの背中をマッサージする椅子用マッサージ機を提供する。【解決手段】折曲自在な長尺体２の一端部に第１吊持体３を備えると共に他端部に第２吊持体４を備え、表面側にマッサージ手段８を臨ませたマッサージ駆動機構６を前記第１吊持体３に設けており、椅子の背もたれ部の頂縁に交差して前記長尺体２を吊り掛けたとき、背もたれ部の正面側と背面側に位置する第１吊持体３と第２吊持体４が均衡状態で吊持されるように、前記第２吊持体４に錘手段１７を設けている。【選択図】図１
0003184808.tif 000002
【実用新案登録請求の範囲】
【請求項１】
折曲自在な長尺体(2)の一端部に第1吊持体(3)を備えると共に他端部に第２吊持体(4)を備え、表面側にマッサージ手段(8)を臨ませたマッサージ駆動機構(6)を前記第１吊持体(3)に設けており、
椅子(20)の背もたれ部(21)の頂縁に交差して前記長尺体(2)を吊り掛けたとき、背もたれ部(21)の正面側と背面側に位置する第1吊持体(3)と第２吊持体(4)が均衡状態で吊持されるように、前記第２吊持体(4)に錘手段(17)を設けて成ることを特徴とする椅子用マッサージ機。
【請求項２】
前記長尺体(2)の表面のうち少なくとも背もたれ部の頂縁に接する部位に摩擦接触手段を設けて成ることを特徴とする請求項１に記載の椅子用マッサージ機。
【請求項３】
前記第２吊持体(4)に設けた錘手段(17)は、袋体(16)に多数の粒体(15)を遊動自在に充填することにより形成された指圧手段(18)を構成して成ることを特徴とする請求項１又は２に記載の椅子用マッサージ機。
【請求項４】
前記第1吊持体(3)は、裏面側に臨んで弾性材から成るクッション部(13)を設けて成ることを特徴とする請求項１、２又は３に記載の椅子用マッサージ機。
【考案の詳細な説明】
【技術分野】
【０００１】
本考案は、椅子の背もたれ部に吊持させた状態で、椅子に着座したユーザの背中をマッサージする椅子用マッサージ機に関する。
【背景技術】
【０００２】
椅子の背もたれ部に着脱自在に装着できるマッサージ機が提案されている。
【先行技術文献】
【特許文献】
【０００３】
【特許文献１】特開２０００−３００６３８号公報
【特許文献２】登録実用新案第３１８０７６６号公報
【考案の概要】
【考案が解決しようとする課題】
【０００４】
上記特許文献に示されるマッサージ機は、椅子の背もたれ部に装着した状態でマッサージ手段の位置を上下方向に調節しようとする場合、煩雑な作業が必要である。
【０００５】
また、例えば、揉み玉によるマッサージ手段を備えたマッサージ機の場合、ユーザがマッサージを必要としないとき、停止させた駆動機構から突出する揉み玉がユーザの背中を突くため、椅子の着座感が良好でない。この際、マッサージ機を背もたれ部から取外せば良いが、所定場所に収納保管を要するという煩雑がある。
【課題を解決するための手段】
【０００６】
本考案は、上記課題を解決した椅子用マッサージ機を提供するものであり、その手段として構成してところは、折曲自在な長尺体の一端部に第1吊持体を備えると共に他端部に第２吊持体を備え、表面側にマッサージ手段を臨ませたマッサージ駆動機構を前記第１吊持体に設けており、椅子の背もたれ部の頂縁に交差して前記長尺体を吊り掛けたとき、背もたれ部の正面側と背面側に位置する第1吊持体と第２吊持体が均衡状態で吊持されるように、前記第２吊持体に錘手段を設けて成る点にある。
【０００７】
前記長尺体の表面のうち少なくとも背もたれ部の頂縁に接する部位には、摩擦接触手段を設けることが好ましい。
【０００８】
本考案の好ましい実施形態において、前記第２吊持体に設けた錘手段は、袋体に多数の粒体を遊動自在に充填することにより形成された指圧手段を構成している。また、前記第1吊持体は、裏面側に臨んで弾性材から成るクッション部を設けている。
【考案の効果】
【０００９】
請求項１に記載の本考案によれば、長尺体２を椅子２０の背もたれ部２１の頂縁に交差した状態で吊り掛け、表面側に駆動式のマッサージ手段８を設けた第１吊持体３を背もたれ部２１の正面側に位置させると共に、錘手段１７を設けた第２吊持体４を背もたれ部２１の背面側に位置させ、第1吊持体３と第２吊持体４を均衡状態で吊持することができるので、マッサージ機１をワンタッチで簡単に椅子２０の背もたれ部２１に着脱することができ、椅子２０に着座したユーザの背中を好適にマッサージすることが可能である。
【００１０】
この際、ユーザは、長尺体２を摺動させるだけで、マッサージ手段８を上下方向に移動させ調節することができ、所望の調節位置において第１吊持体３と第２吊持体４の均衡により、長尺体２を背もたれ部２１の頂縁にずれ動かないように固定できるので、極めて簡単な作業により、ユーザの背中のうち所望の施療個所に応じたマッサージが可能となる。
【００１１】
そして、ユーザが駆動式のマッサージを必要としないときは、背もたれ部２１からマッサージ機１を持ち上げ、第１吊持体３と第２吊持体４を反転させることにより、マッサージ駆動機構６を設けた第１吊持体３を背もたれ部２１の背面側に位置させ、錘手段１７を設けた第２吊持体４を背もたれ部２１の正面側に位置させることが可能であり、これにより、マッサージ機１を背もたれ部２１に吊り掛けた状態でも、椅子の着座感を大きく損なうことがなく、マッサージ機１を所定場所に収納保管する必要がないという利便がある。
【００１２】
請求項２に記載の本考案によれば、長尺体２の表面のうち少なくとも背もたれ部２１の頂縁に接する部位に摩擦接触手段を設けているので、椅子２０の背もたれ部２１が皮革等の平滑表面とされている場合でも、該摩擦接触手段の適度な摩擦により、第１吊持体３と第２吊持体４の均衡状態を好適に保持させることが可能となる。この際、摩擦接触手段は、例えば、長尺体２を形成する起毛素材により構成することが可能であり、長尺体２と共に第１吊持体３及び第２吊持体４を起毛素材により形成すれば、全体として肌触りの良好なマッサージ機１を提供することができる。
【００１３】
請求項３に記載の本考案によれば、マッサージ駆動機構６を設けた第１吊持体３を背もたれ部２１の背面側に位置させ、錘手段１７を設けた第２吊持体４を背もたれ部２１の正面側に位置させた状態で使用することが可能であり、その際、錘手段１７が遊動自在な粒体１５から成る指圧手段１８を構成しているので、椅子２０に着座したユーザが背中を指圧手段１８に押し付けることにより、背中の指圧マッサージを可能にする利点がある。
【００１４】
請求項４に記載の本考案によれば、第１吊持体３を背もたれ部２１の正面側に位置させると共に、該第１吊持体３のクッション部１３を表面側に向けた状態で使用することが可能であり、その場合、椅子２０に着座したユーザの背中がクッション部１３に支持されるので、着座感が良く、マッサージを必要としないマッサージ機１を所定場所に収納保管する必要がないという利便がある。
【図面の簡単な説明】
【００１５】
【図１】本考案の第１実施形態を示す斜視図である。
【図２】本考案の第１実施形態の縦断側面図である。
【図３】本考案の第１使用例を示す斜視図である。
【図４】本考案の第２使用例を示す斜視図である。
【考案を実施するための形態】
【００１６】
以下図面に基づいて本考案の好ましい実施形態を詳述する。
【００１７】
図１及び図２に示すように、椅子用マッサージ機１は、柔軟な織物生地又は編物生地等の布シートにより帯状に形成された折曲自在な長尺体２と、長尺体２の一端部に設けた第1吊持体３と、他端部に設けた第２吊持体４により構成されている。
【００１８】
［第１吊持体］
前記第1吊持体３は、柔軟な織物生地又は編物生地等の布シートにより形成された第１収納袋５を備え、前記長尺体２の一端部に逢着されると共に、内部にマッサージ駆動機構６と弾性材７を設けている。
【００１９】
前記マッサージ駆動機構６は、第１収納袋５の厚さ方向の中心よりも表面側に偏位して配置され、第１収納袋５の表面側にマッサージ手段８を臨ませている。図示省略しているが、マッサージ駆動機構６は、電動モータ及び減速ギヤ手段等を介して、左右に並設した一対の駆動軸９、９を駆動回転し、各駆動軸９に設けた偏心コニカル形状の揉み玉８ａにより構成されたマッサージ手段８を回転させる。図例の場合、揉み玉８ａにランプ１０を内蔵しており、点灯により揉み玉８ａを加温する。揉み玉８ａは、第１収納袋５の開口部から表面側に突出され、薄手の生地等から成るカバー１１により被われている。尚、マッサージ駆動機構６の電源は、第１収納袋５から導出した電源コードにより家庭用電源を使用しても良く、或いは、第１収納袋５にバッテリーを収納しても良く、第１収納袋５の正面側に設けたスイッチ１２を押すことによりＯＮ／ＯＦＦされる。
【００２０】
図例のような揉み玉８ａにより構成する他、マッサージ駆動機構６及びマッサージ手段８は、例えば、バイブレータによる振動マッサージや、エアバッグの膨縮による圧迫マッサージ等、任意に構成することができる。
【００２１】
前記弾性材７は、スポンジ等の弾性変形自在な柔軟弾性材から成り、第１収納袋５の内部において裏面側からマッサージ駆動機構６を抱持することにより固定し、第１収納袋５の裏面側に臨んでほぼ平坦なクッション部１３を形成する。
【００２２】
［第２吊持体］
前記第２吊持体４は、柔軟な織物生地又は編物生地等の布シートにより形成された第２収納袋１４を備え、前記長尺体２の他端部に逢着されると共に、該第２収納袋１４の内部に、米粒程度の粒径とされた多数の粒体１５を遊動自在に充填した袋体１６を収納しており、これにより、錘手段１７と指圧手段１８を構成する。尚、図例の場合、粒体１５を充填した袋体１６は、第２収納袋１４に設けたジッパー手段１９の開閉により、第２収納袋１４から取出し可能である。
【００２３】
前記指圧手段１８は、図２に鎖線で示すように、第２吊持体４の外部から人体を押圧すると、粒体１５が遊動することにより、袋体１６と共に第２収納袋１４の外形を異形自在に変形させ、人体に対する接触個所と離反個所を移動することにより指圧効果を与える。
【００２４】
尚、図示実施形態の場合、前記錘手段１７が指圧手段１８を兼用する構成とされているが、粒体１５の他に任意の重量物を設けることにより、錘手段１７だけを形成するように構成しても良い。
【００２５】
［長尺体］
前記長尺体２は、図３及び図４に示すように、椅子２０の背もたれ部２１の頂縁に交差した状態で吊り掛けることができる。これにより、第１吊持体３と第２吊持体４が背もたれ部２１の正面側と背面側に位置し、この際、前記錘手段１７の重量は、第１吊持体３と第２吊持体４が均衡状態で吊持されるように設定されている。
【００２６】
従って、図示矢印で示すように、背もたれ部２１に対して、ユーザが長尺体２を摺動させることにより、第１吊持体３と第２吊持体４を上下方向に移動させることができ、しかも、移動させた任意の調整位置において第１吊持体３と第２吊持体４の均衡を保持した状態で、前記摺動を停止させ、固定することができる。
【００２７】
椅子２０の背もたれ部２１がファブリック製とされている等、適度の摩擦力を有する場合、長尺体２は、表面を平滑とした合成皮革等により形成しても良く、前記錘手段１７が第１吊持体３と第２吊持体４を均衡状態に保持するので、長尺体２が背もたれ部２１の頂縁をずれ動くことはない。
【００２８】
しかしながら、椅子２０の背もたれ部２１が皮革等の平滑表面とされている場合、第１吊持体３と第２吊持体４が均衡を保持した状態から、僅かな外力を加えると、長尺体２がずれ動くおそれがあるので、長尺体の表面のうち少なくとも背もたれ部２１の頂縁に接する部位に摩擦接触手段を設けることが好ましい。このような摩擦接触手段は、例えば、長尺体２を形成する布シートに関して、粗目のファブリックを使用したり、起毛素材を使用したりすれば良い。尚、長尺体２と共に、第１吊持体３を構成する第１収納袋５や、第２吊持体４を構成する第２収納袋１４を起毛素材により形成すれば、全体として肌触りの良いものとなり、好ましい。
【００２９】
［第１使用例］
図３は、上記マッサージ機１の第１使用例を示しており、長尺体２を椅子２０の背もたれ部２１の頂縁に交差した状態で吊り掛け、表面側にマッサージ手段８を設けた第１吊持体３を背もたれ部２１の正面側に位置させ、錘手段１７を設けた第２吊持体４を背もたれ部２１の背面側に位置させている。この状態において、ユーザは、長尺体２を摺動させ、マッサージ手段８を上下方向に移動させることにより、所望の位置となるように調節することができ、その位置において、第１吊持体３と第２吊持体４の均衡により、長尺体２を停止固定させることができる。この点は、上述した通りである。
【００３０】
第１使用例の場合、椅子２０に着座したユーザは、マッサージ駆動機構６を駆動して揉み玉８ａを回転することにより、背中に揉みマッサージを受けることができる。
【００３１】
［第２使用例］
図４は、上記マッサージ機１の第２使用例を示しており、長尺体２を椅子２０の背もたれ部２１の頂縁に交差した状態で吊り掛け、指圧手段１８を設けた第２吊持体４を背もたれ部２１の正面側に位置させ、第１吊持体３を背もたれ部２１の背面側に位置させている。この状態においても、ユーザは、長尺体２の摺動を介して第２吊持体４を所望の位置となるように調節することができる。
【００３２】
第２使用例の場合、椅子２０に着座したユーザは、背中を指圧手段１８に押し付け、粒体１５を遊動させることにより、第２吊持体４の第２収納袋１４の外形を異形自在に変形させ、背中に対する接触個所と離反個所の移動により、背中に指圧マッサージを受けることができる。
【００３３】
［第３使用例］
図示省略しているが、ユーザが揉みマッサージや指圧マッサージ等のマッサージを望まない場合は、長尺体２を裏返した状態で椅子２０の背もたれ部２１の頂縁に交差した状態で吊り掛け、第１吊持体３を背もたれ部２１の正面側に位置させると共に、該第１吊持体３のクッション部１３を表面側に向けた状態で吊持すれば良い。
【００３４】
第３使用例の場合、椅子２０に着座したユーザの背中は、前記クッション部１３に支持されるので、着座感が良い。しかも、このような状態でマッサージ機１を背もたれ部２１に吊り掛けておくことができるので、必要のないマッサージ機１を別の場所に収納保管しなくても良く、必要なときに再び簡便に使用できるという利便がある。
【符号の説明】
【００３５】
１  マッサージ機
２  長尺体
３  第１吊持体
４  第２吊持体
５  第１収納袋
６  マッサージ駆動機構
７  弾性材
８  マッサージ手段
８ａ  揉み玉
９  駆動軸
１０  ランプ
１１  カバー
１２  スイッチ
１３  クッション部
１４  第２収納袋
１５  粒体
１６  袋体
１７  錘手段
１８  指圧手段
１９  ジッパー手段
２０  椅子
２１  背もたれ部
【図１】
0003184808.tif 000003
【図２】
0003184808.tif 000004
【図３】
0003184808.tif 000005
【図４】
0003184808.tif 000006